(57)【要約】【課題】眼底観察撮影時に顔支持部材の上下動を禁止してアライメントを的確に行なうことが出来る眼科撮影装置を提供する。【解決手段】被検眼を観察撮影するための照明光学系と、眼底を観察撮影する撮影光学系と、一部を前記撮影光学系と共通とし挿脱可能な補助光学系を介して被検眼の前眼部を観察する前眼部観察光学系と上下動可能な被検者の顔支持部材を備える。【選択図】      図１
2005021364.tif 000002
【特許請求の範囲】
【請求項１】
被検眼を観察撮影するための照明光学系と、眼底を観察撮影する撮影光学系と、一部を前記撮影光学系と共通とし挿脱可能な補助光学系を介して被検眼の前眼部を観察する前眼部観察光学系と上下動可能な被検者の顔支持部材を備えた眼科撮影装置において、
眼底観察撮影時は前記顔支持部材の上下動を禁止することを特徴とする眼科撮影装置。
【請求項２】
前記顔支持部材の上下動操作の入力手段と前記補助光学系の挿脱駆動手段とを有する眼科撮影装置であって、前記挿脱駆動手段への入力に応じて前記顔支持部材の上下動操作入力手段を無効とすることを特徴とする請求項１に記載の眼科撮影装置。
【請求項３】
前記顔支持部材の上下動を制動する制動手段を有することを特徴とする請求項１に記載の眼科撮影装置。
【請求項４】
前記補助光学系の挿脱を検知する手段を有し、該検知手段による検知結果に基づいて前記顔支持部材の上下動を禁止することを特徴とする請求項１に記載の眼科撮影装置。
【請求項５】
被検眼観察画像の画像信号より眼底画像であることを判定する判定手段を有し、該判定手段の判定結果に基づいて前記顔支持部材の上下動を禁止することを特徴とする請求項１に記載の眼科撮影装置。
【発明の詳細な説明】
【０００１】
【発明の属する技術分野】
本発明は、眼科医院や集団検診等で使用される眼科撮影装置に関するものである。
【０００２】
【従来の技術】
従来から、無散瞳眼底カメラ等の眼科撮影装置において、被検者の眼底部を観察撮影する場合は、被検眼と眼底カメラの光学系の位置を合わせるため被検者の顔支持部材と、眼底カメラの光学系の位置調整をすることにより被検眼と光学系の位置を合わせ、それから前眼部観察用光学系を眼底カメラの光路に挿入して被検眼の前眼部像を眼底部像位置と共役な位置に形成し、眼底部観察用テレビカメラと同一のテレビカメラを用いてアライメントを行う。次に、検者が前眼眼底切替えスイッチを操作して前眼部観察用光学系を眼底カメラの光路から離脱させ、テレビカメラやファインダを用いて眼底部像のフォーカスを合わせ、その後で観察・撮影を行っている。
【０００３】
【特許文献１】
特開平０８−３２２８０３
【０００４】
【発明が解決しようとする課題】
しかしながら上述の従来例では、検者が手元のスイッチを操作することにより顔支持部材の上下動が出来るようにされている場合、眼底部のアライメントを行なっているときに誤ってそのスイッチを操作してしまい、アライメントが大きくずれてしまうことがある。その場合には再度前眼眼底切替えスイッチを押し、前眼部に戻ってアライメントをやり直さなくてはならない。
【０００５】
本発明の目的は上述の問題点を解消し、眼底観察撮影時における顔支持部材の移動を禁止し、アライメントを的確に行うことができる眼科撮影装置を提供することにある。
【０００６】
【課題を解決するための手段】
上記目的を達成するための本発明に係る眼科撮影装置は、
被検眼を観察・撮影するための照明光学系と、眼底を観察撮影する撮影光学系と、一部を前記撮影光学系と共通とし挿脱可能な補助光学系を介して被検眼の前眼部を観察する前眼部観察光学系と上下動可能な被検者の顔支持部材を備えた眼科撮影装置において、
眼底観察撮影時は前記顔支持部材の上下動を禁止することを特徴とする眼科撮影装置である。
【０００７】
【発明の実施の形態】
本発明の第一実施例を図示の実施の形態に基づいて詳細に説明する。
【０００８】
図１は実施の形態の無散瞳眼底カメラの外観図を示し、基台１の被検者側には顔支持部材２ａ、２ｂが取り付けられ、基台１の上部には前後、左右、上下方向に位置調節可能なステージ部３が取り付けられている。ステージ部３上には、眼底カメラの光学部４とテレビモニタ５が載置され、光学部４には撮影フィルムを備えたカメラ部６が装着され、ピント合わせ操作を行うフォーカスレバー７が取り付けられている。また、ステージ部３の検者側には、観察部位の前眼部又は眼底部を切替えるための前眼眼底切替えスイッチ８と、被検眼と光学部４との位置合わせを行う位置調節レバー９と撮影スイッチ１０から成る操作桿と、固視灯の投影位置を変更するための固視灯調節スイッチ１１と顔支持部材２ｂを上下動させる操作スイッチ１２から成る小型操作桿が設けられている。
【０００９】
図２は光学部４の構成図を示し、被検眼Ｅの前方の光路Ｏ１上には、対物レンズ２１、光路から挿脱可能な補助レンズ２２、中心開口を有する孔あきミラー２３、光路Ｏ１方向に可動なフォーカシングレンズ２４、撮影レンズ２５、撮影時に上方に跳ね上がる切換ミラー２６、撮影時に使用されるカメラ部６内のフィルム２７が配列されている。これらの光学部材は後述するテレビカメラ、テレビモニタと共に観察撮影光学系を構成している。
【００１０】
孔あきミラー２３の入射方向の光路Ｏ２上には、孔あきミラー２３側から角膜バッフル２８、リレーレンズ２９、３０、水晶体バッフル３１、円環状開口を有するリングスリツト３２、コンデンサレンズ３３、キセノン管等から成る撮影用光源３４、コンデンサレンズ３５、赤外光が透過する赤外フィルタ３６、ハロゲンランプ等から成る照明用光源３７、凹面反射鏡３８が順次に配列され、照明光学系が構成されている。
【００１１】
また、切換ミラー２６の分岐方向の光路Ｏ３上には、フィールドレンズ３９、ハーフミラー４０、レンズ４１、部分的にシャッタを開閉して光束の透過領域を形成する液晶シャッタ４２、固視灯光源４３が順次に配列され、固視灯投影光学系が構成されている。
【００１２】
液晶シャッタ４１は被検眼Ｅの眼底Ｅｒと略共役な平面に配置されており、この液晶シャッタ４１に形成された透過領域を透過する光束が、被検眼Ｅに固視目標として投影されるようになっている。また、液晶シャッタ４１に形成された透過領域は、固視灯調節スイッチ１１によりその位置、範囲を変更することができ、被検眼Ｅの眼底Ｅｒを所望の撮影部位に誘導することができるようになっている。
【００１３】
ハーフミラー４０の反射方向の光路Ｏ４上には、テレビレンズ４４、赤外テレビカメラ４５が配置され、赤外テレビカメラ４５の出力はテレビモニタ５に接続されている。なお、眼底Ｅｒとフィールドレンズ３９付近の像面Ｆ、赤外テレビカメラ４４の撮像面Ｆ’、液晶シャッタ４２とは略共役な関係になるようにされている。
【００１４】
また、眼底カメラの動作の制御を行う機能制御部４６が設けられ、この機能制御部４６には、ステージ部３上に設けた前眼眼底切替えスイッチ８、撮影スイッチ１０、固視灯調節スイッチ１１、顎受け操作スイッチ１２が接続されている。そして、機能制御部４６は上述の４個のスイッチ８、１０、１１、１２の出力に応じて、顔支持部材２ｂ、補助レンズ２２、切換ミラー２６、撮影用光源３４、照明用光源３７、液晶シャッタ４２、固視灯光源４３を図示しない駆動手段により制御するようにされている。
【００１５】
上述の構成において、先ず被検眼Ｅの眼底Ｅｒの撮影準備として、前眼部観察モードにおいて被検眼Ｅと眼底カメラの光学部４との間のラフアライメントを行う。被検者を対物レンズ２１の正面に着座させ、被検者の顔を顔支持部材２ａ、２ｂに固定し、被検眼Ｅと対物レンズ２１が対向するように操作スイッチ１２を操作して顔支持部材２ｂを上下動させ、また一方で位置調節レバー９によりステージ部３を移動し、光学部４の光路Ｏ１が被検者の被検眼Ｅに概略一致するように粗調節する。このとき補助レンズ２２は光路Ｏ１上に挿入されている。次に前眼眼底切替えスイッチ８を押すと、補助レンズ２２は光路Ｏ１から離脱され眼底面にほぼピントが合う。この前眼眼底切替えスイッチ８の入力により、機能制御部４６はスイッチ１２の入力を無効とし、顔支持部材２ｂの上下動を禁止する。これにより検者は誤って顔支持部材を上下動させることがなく、安定したアライメント操作を行うことができる。
【００１６】
図３に第二の実施例を示す。顔支持部材２ｂを上下動する機構部であり、５１は顔支持部材２ｂの取り付け台、５２は取り付け台５１の支持軸、５３は支持軸５２に組み込まれているネジ状部材、５４は５３上を回転することにより上下動するつまみ、５５はブレーキ部材、５６はブレーキ部材５４の保持部材である。
【００１７】
上述の構成において、まず前眼部観察時のラフアライメントにおいて、つまみ５４を上下動させて支持部材取り付け台５１上にある顔支持部材２ｂを上下動させ、被検眼の位置を調整する。次に眼底観察撮影を行うため、前眼眼底切替えスイッチ８を押すと、図示しない駆動手段がブレーキ部材５５を支持軸５２に押し付けてつまみ５４の上下動を禁止する。その結果顔支持部材２ｂは上下動が禁止される。本実施例では顔支持部材２ｂの上下動を禁止手段としてブレーキ部材を使用しているが、顔支持部材の上下動機構に合わせて最適な制動手段を用いればよく、例えば磁力や空気圧等を用いてもよい。
【００１８】
上述の実施例では眼底観察撮影モードへの移行を前眼眼底切替えスイッチ８への入力によって判定しているが、補助レンズ２２の挿脱を検知する手段を設け、その検知結果に応じて眼底観察撮影モードか前眼部観察モードかの判別を行ってもよい。
【００１９】
図４（ａ），（ｂ）、図５に第３の実施例を示す。図４（ａ）は前眼部観察時、（ｂ）は眼底観察時のモニター５上での被検眼像を表している。図５には画像信号処理部４７が設けられている。
【００２０】
図４に示した様に眼底部と前眼部の画像は大きく異なる特徴を持つので、観察中の画像が眼底部であるか前眼部であるかの比較判断が可能である。そこで図５の構成において、観察中の被検眼画像の画像信号を画像信号処理部４７で処理して観察中の部位が前眼部か眼底部であるかを判断させる。そして画像信号処理部４７で眼底観察中であると判断された場合に機能制御部４６は顔支持部材の上下動を禁止すればよい。
【００２１】
【発明の効果】
以上の発明によると、眼底観察モードでの顔支持部材の上下動によるアライメントずれが発生しないため的確な眼底観察撮影を行うことができる。
【図面の簡単な説明】
【図１】第１実施例の眼科撮影装置の外観図である。
【図２】第１実施例の眼科撮影装置の側面図である。
【図３】第２実施例の顔支持部材の上下動機構図である。
【図４】第３実施例の被検眼の観察画像である。
【図５】第３実施例の眼科撮影装置の側面図である。
【符号の説明】
２ａ・２ｂ  顔支持部材
４  光学部
８  前眼眼底切替えスイッチ
９  位置調整レバー
１０  撮影スイッチ
１１  固視灯調節スイッチ
１２  顔支持部材上下動スイッチ
２１  対物レンズ
２２  補助レンズ
４６  機能制御部
【図１】
2005021364.tif 000003
【図２】
2005021364.tif 000004
【図３】
2005021364.tif 000005
【図４】
2005021364.tif 000006
【図５】
2005021364.tif 000007